(57)【要約】【課題】  ステムキッチンや洗面台などの特に水道水を使用する装置の昇降を行うときに有効な簡潔構造の簡潔昇降装置を提供すること。【解決手段】  本発明の簡潔昇降装置１０は、下側ケース１１と、下側ケース１１にスライド可能に取付けられる上側ケース１２と、連結バーが互いに回転自在に連結しスライド可能に取付けられたパンタグラフ機構２０と、パンタグラフ機構２０を昇降作動する水圧シリンダ３１と、水圧シリンダ３１のピストンロッド３１ａの先端に取付けられた駆動ローラ３２とパンタグラフ機構２０の連結バー２１ａの端部に取付けられる第１のガイドローラとパンタグラフ機構２０の連結バー２１ｂの端部に取付けられる第２のガイドローラとに掛けられるベルト３９とを備ることとした。【選択図】図２
2010228908.tif 000002
【特許請求の範囲】
【請求項１】
上側が開口した下側ケースと、下側が開口し前記下側ケースに上下方向にスライド可能に取付けられ上方に被移動体が設置される上側ケースと、前記下側ケースと前記上側ケースとの間に取付けられ連結バーが互いに回転自在に連結しスライド可能に取付けられたパンタグラフ機構と、前記パンタグラフ機構を昇降作動する水圧シリンダと、前記下側ケースに一端が固定され、前記水圧シリンダのピストンロッドの先端に取付けられた駆動ローラと、前記パンタグラフ機構の一方の前記連結バーの端部に取付けられる第１のガイドローラと、前記パンタグラフ機構の他方の前記連結バーの端部に取付けられる第２のガイドローラとに掛けられ、他端が前記下側ケースに固定されるベルトまたはワイヤとを備えたことを特徴とする簡潔昇降装置。
【請求項２】
前記パンタグラフ機構の一方の前記連結バーの端部に取付けられる前記第１と第２のガイドローラは、前記連結バーの下端の端部に取り付けられ、前記パンタグラフ機構の他方の前記連結バーの端部に取付けられたガイドローラは、前記連結バーの下端の端部に取り付けられることを特徴とする請求項１に記載の簡潔昇降装置。
【請求項３】
上側が開口した下側ケースと、下側が開口し前記下側ケースに上下方向にスライド可能に取付けられ上方に被移動体が設置される上側ケースと、前記上側ケースに回転自在でスライド可能に上端が取付けられ上下方向に回転可能の回転バーと、前記回転バーの回転駆動用の水圧シリンダと、前記下側ケースに一端が固定されて、前記水圧シリンダのピストンロッドの先端に取付けられた駆動ローラと前記回転バーの下端に取付けられる第１のガイドローラと前記下側ケースに固定された第２のガイドローラとに掛けられ、他端が前記下側ケースに固定されるベルトまたはワイヤとを備えたことを特徴とする簡潔昇降装置。
【請求項４】
前記水圧シリンダは、他に、油圧シリンダ、空気圧シリンダのいずれかを使用することを特徴とする請求項１または２に記載の簡潔昇降装置。
【発明の詳細な説明】
【技術分野】
【０００１】  本発明は、システムキッチンや洗面台などの特に水道水を使用する装置の昇降を行うときに便利で有効な簡潔構造の簡潔昇降装置に関する。
【背景技術】
【０００２】  従来のシステムキッチンや洗面台などには、垂直方向に複数設置したねじ棒をモータ駆動機構により回転させシステムキッチンや洗面台などの上部をキャビネット本体に対し昇降可能にする昇降装置が設置されているものがある（例えば、特許文献１参照）。【０００３】
【特許文献１】  特開平７−１１６０３３号公報
【発明の開示】
【発明が解決しようとする課題】
【０００４】  しかしながら、従来のシステムキッチンや洗面台などに使用される昇降装置は、システムキッチンや洗面台などの上部をキャビネット本体に対しスライド可能とし、垂直方向に複数設置したねじ棒をモータ駆動により回転させ上部を昇降させるため、構成を複雑とするとともに、昇降機構も減速ユニットやモータ駆動制御ユニットなどを必要とし複雑であった。
本発明は、上記の問題に鑑みてなされたものであって、システムキッチンや洗面台などの特に水道水を使用する装置の昇降を行うときに便利で有効な簡潔構造の簡潔昇降装置を提供することを目的とする。
【課題を解決するための手段】
【０００５】  本発明の簡潔昇降装置は、上側が開口した下側ケースと、下側が開口し前記下側ケースに上下方向にスライド可能に取付けられ上方に被移動体が設置される上側ケースと、前記下側ケースと前記上側ケースとの間に取付けられ連結バーが互いに回転自在に連結しスライド可能に取付けられたパンタグラフ機構と、前記パンタグラフ機構を昇降作動する水圧シリンダと、前記下側ケースに一端が固定され、前記水圧シリンダのピストンロッドの先端に取付けられた駆動ローラと、前記パンタグラフ機構の一方の前記連結バーの端部に取付けられる第１のガイドローラと、前記パンタグラフ機構の他方の前記連結バーの端部に取付けられる第２のガイドローラとに掛けられ、他端が前記下側ケースに固定されるベルトまたはワイヤとを備ることとした。
また、前記パンタグラフ機構の一方の前記連結バーの端部に取付けられる前記第１と第２のガイドローラは、前記連結バーの下端の端部に取り付けられ、前記パンタグラフ機構の他方の前記連結バーの端部に取付けられたガイドローラは、前記連結バーの下端の端部に取り付けられることとした。
また、本発明の簡潔昇降装置は、上側が開口した下側ケースと、下側が開口し前記下側ケースに上下方向にスライド可能に取付けられ上方に被移動体が設置される上側ケースと、前記上側ケースに回転自在でスライド可能に上端が取付けられ上下方向に回転可能の回転バーと、前記回転バーの回転駆動用の水圧シリンダと、前記下側ケースに一端が固定されて、前記水圧シリンダのピストンロッドの先端に取付けられた駆動ローラと前記回転バーの下端に取付けられる第１のガイドローラと前記下側ケースに固定された第２のガイドローラとに掛けられ、他端が前記下側ケースに固定されるベルトまたはワイヤとを備えることとした。
さらに、前記水圧シリンダは、他に、油圧シリンダ、空気圧シリンダのいずれかを使用することとした。
【発明の効果】
【０００６】  本発明の簡潔昇降装置は、上側が開口した下側ケースと、下側が開口し前記下側ケースに上下方向にスライド可能に取付けられ上方に被移動体が設置される上側ケースと、前記下側ケースと前記上側ケースとの間に取付けられ連結バーが互いに回転自在に連結しスライド可能に取付けられたパンタグラフ機構と、前記パンタグラフ機構を昇降作動する水圧シリンダと、前記下側ケースに一端が固定され、前記水圧シリンダのピストンロッドの先端に取付けられた駆動ローラと、前記パンタグラフ機構の一方の前記連結バーの端部に取付けられる第１のガイドローラと、前記パンタグラフ機構の他方の前記連結バーの端部に取付けられる第２のガイドローラとに掛けられ、他端が前記下側ケースに固定されるベルトまたはワイヤとを備ることとしたため、システムキッチンや洗面台などの特に水道水を使用する装置の昇降を行うときに水道水を容易に利用でき便利で有効な簡潔構造となっている。また、水圧シリンダの駆動力が効果的に増大し上側ケースを容易に昇降することができる。
また、前記パンタグラフ機構の一方の前記連結バーの端部に取付けられる前記第１と第２のガイドローラは、前記連結バーの下端の端部に取り付けられ、前記パンタグラフ機構の他方の前記連結バーの端部に取付けられたガイドローラは、前記連結バーの下端の端部に取り付けられることとしたため、水圧シリンダの駆動力をより効果的に増大し上側ケースを容易に昇降することができる。
また、本発明の簡潔昇降装置は、上側が開口した下側ケースと、下側が開口し前記下側ケースに上下方向にスライド可能に取付けられ上方に被移動体が設置される上側ケースと、前記上側ケースに回転自在でスライド可能に上端が取付けられ上下方向に回転可能の回転バーと、前記回転バーの回転駆動用の水圧シリンダと、前記下側ケースに一端が固定されて、前記水圧シリンダのピストンロッドの先端に取付けられた駆動ローラと前記回転バーの下端に取付けられる第１のガイドローラと前記下側ケースに固定された第２のガイドローラとに掛けられ、他端が前記下側ケースに固定されるベルトまたはワイヤとを備えることとしたため、システムキッチンや洗面台などの特に水道水を使用する装置の昇降を行うときに水道水を容易に利用でき便利で有効なより簡潔構造となっている。また、水圧シリンダの駆動力が効果的に増大し上側ケースを容易に昇降することができる。
さらに、前記水圧シリンダは、他に、油圧シリンダ、空気圧シリンダのいずれかを使用することとしたため、関連設備が近辺にあるときには有効に使用することもできる。
【発明を実施するための最良の形態】
【０００７】  以下、本発明の実施の形態の簡潔昇降装置につき説明する。
【実施例１】
【０００８】  図１は、本発明の第１の実施の形態の簡潔昇降装置の斜視図を示す。
図１に示すように、本発明の第１の実施の形態の簡潔昇降装置１０は、上側が開口した下側ケース１１と、下側が開口し下側ケース１１に上下方向にスライド可能に取付けられ上方に被移動体（図示せず）が設置される上側ケース１２とが設けられ、下側ケース１１と上側ケース１２との隙間に上下方向にスライドユニット２９が設置され、上側ケース１２は下側ケース１１に沿って上下方向にスライド可能となっている。そのため、上側ケース１２は、内部に設置した昇降機構と昇降駆動機構（共に図２〜３参照）により、下側ケース１１に沿って昇降され、上側ケース１２の上部に設置される被昇降体を所望の高さの位置にすることができる。【０００９】  図２は、上側ケースが下降しているときの本発明の第１の実施の形態の簡潔昇降装置を示し、図２（Ａ）は、正面を開口したときの正面図を示し、図２（Ｂ）は、側面を開口したときの側面図を示す。
図２（Ａ）、（Ｂ）に示すように、本発明の第１の実施の形態の簡潔昇降装置１０は、上側ケース１２の下側に固定され下側ケース１１との間に設けられて上側ケース１２を上下方向に移動可能とするパンタグラフ機構２０と、パンタグラフ機構２０を昇降駆動する昇降駆動機構３０とで構成されている。
パンタグラフ機構２０は、矢印Ｒに示すように、正面の奥側に設けたパンタグラフ機構２０Ａと、矢印Ｆに示すように、正面の手前側にパンタグラフ機構２０Ａと並行に設けられたパンタグラフ機構２０Ｂとで構成されている。
パンタグラフ機構２０Ａは、交差点に取付けられた中央シャフト２２により互いに回転自在に連結した連結バー２１ａと連結バー２１ｂとを備え、パンタグラフ機構２０Ｂも同じく交差点に取付けられた中央シャフト２２により互いに回転自在に連結した連結バー２１ａと連結バー２１ｂとを備えている。
連結バー２１ａ、２１ｂの上端部は、上側ケース１２の下側に固定されたスライド機構２３ａ、２３ｂに回転自在で水平方向にスライド可能に取付けられ、連結バー２１ａ、２１ｂの下端部は、上側ケース１２の上側に固定されたスライド機構２３ｃ、２３ｄに回転自在でスライド可能に取付けられている。
上側ケース１２の下側に固定されているスライド機構２３ａ、２３ｂと、上側ケース１２の上側に固定されているスライド機構２３ｃ、２３ｄとは、スライド棒２４が固定され、スライド棒２４にスライダ２５がスライド自在に取り付けられ、スライダ２５には取付ブラケット２６が取付けられている。
連結バー２１ａは、スライド機構２３ａの取付ブラケット２６に上側シャフト２７ａを介し回転自在でスライド可能に取付けられるとともに、スライド機構２３ｄの取付ブラケット２６に下側シャフト２８ｂを介し回転自在でスライド可能に取付けられ、連結バー２１ｂは、スライド機構２３ｂの取付ブラケット２６に上側シャフト２７ｂを介し回転自在でスライド可能に取付けられるとともに、スライド機構２３ｃの取付ブラケット２６に下側シャフト２８ａを介し回転自在でスライド可能に取付けられている。
パンタグラフ機構２０Ａと並行に設けられるパンタグラフ機構２０Ｂも同様の構成となっており、パンタグラフ機構２０Ａとパンタグラフ機構２０Ｂとは、中央シャフト２２と、上側シャフト２７ａ、２７ｂと、下側シャフト２８ａ、２８ｂとにより連結している。【００１０】  昇降駆動機構３０は、上側ケース１２の内側に固定された水圧シリンダ３１と、水圧シリンダ３１のピストンロッド３１ａの先端に回転自在に取付けられた駆動ローラ３２と、下側シャフト２８ａに回転自在に取付けられた第１のガイドローラ３３と、下側シャフト２８ｂに回転自在に取付けられた第２のガイドローラ３４と、下側ケース１１に一端が固定されて、駆動ローラ３２と第１のガイドローラ３３と第２のガイドローラ３４とに掛けられ、下側ケース１１に他端が固定されたベルト３９とで構成されている。【００１１】  図３は、上側ケースが上昇しているときの本発明の第１の実施の形態の簡潔昇降装置を示し、図３（Ａ）は、正面を開口したときの正面図を示し、図３（Ｂ）は、側面を開口したときの側面図を示す。
図３（Ａ）、（Ｂ）に示す本発明の第１の実施の形態の簡潔昇降装置１０は、前記したごとく上側ケース１２が上昇しているときを示し、図１と同じ構成で、上側ケース１２の下側に固定され下側ケース１１との間に設けられて上側ケース１２を上下方向に移動可能とするパンタグラフ機構２０と、パンタグラフ機構２０を昇降駆動する昇降駆動機構３０とで構成されている。昇降駆動機構３０の水圧シリンダ３１には水道管と接続する接続部３１ｂが取付けられ、接続部３１ｂから供給される水道圧により、水圧シリンダ３１は作動し、ピストンロッド３１ａが水平方向に移動している。また、接続する水道管には水圧を調整する栓を設けることもできる。
上側ケース１２が上昇しているときを示している本発明の第１の実施の形態の簡潔昇降装置１０は、水圧シリンダ３１のピストンロッド３１ａが水平方向に伸びピストンロッド３１ａの先端に回転自在に取付けられた駆動ローラ３２によりベルト３９に張力が与えられて、ベルト３９が引っ張られ、第１のガイドローラ３３と第２のガイドローラ３４とが互いに内側に寄せられ、パンタグラフ機構２０を上昇駆動し上側ケース１２が上側に移動している。なお、下側ケース１１と上側ケース１２との隙間に上下方向にスライダユニット２９が設置され、上側ケース１２が上昇するとき、スライダユニット２９のスライダ２９ａが上側ケース１２と共に伸び、上側ケース１２のガイドを行っている。【００１２】  以上述べたように、本発明の第１の実施の形態の簡潔昇降装置２０は、パンタグラフ機構２０と、パンタグラフ機構２０を昇降駆動する昇降駆動機構３０とで構成され、昇降駆動機構３０に設けた水圧シリンダ３１により昇降し、システムキッチンや洗面台などの特に水道水を使用する装置の昇降を行うときに水道水を容易に利用でき便利で有効な簡潔構造となっている。
また、昇降駆動機構３０は、上側ケース１２の内側に固定された水圧シリンダ３１と、水圧シリンダ３１のピストンロッド３１ａの先端に回転自在に取付けられた駆動ローラ３２と、下側シャフト２８ａに回転自在に取付けられた第１のガイドローラ３３と、下側シャフト２８ｂに回転自在に取付けられた第２のガイドローラ３４と下側ケース１１に一端が固定されて、駆動ローラ３２と第１のガイドローラ３３と、第２のガイドローラ３４とに掛けられ、下側ケース１１に他端が固定されたベルト３９とで構成されているため、水圧シリンダ３１の駆動力が効果的に増大し上側ケース１２を容易に昇降することができる。
なお、本発明の第１の実施の形態の簡潔昇降装置は、システムキッチンや洗面台に限らず、その他さまざまの昇降を必要とするものに使用することができる。
また、本発明の第１の実施の形態の簡潔昇降装置は、水圧シリンダを使用することとしたが、他に、油圧シリンダ、空気圧シリンダ、電動駆動スライダなども関連設備が近辺にあるときには有効に使用することもできる。
また、パンタグラフ機構２０は、パンタグラフ機構２０Ａと、パンタグラフ機構２０Ａと並行に設けられたパンタグラフ機構２０Ｂとで構成したが、単独とすることも、複数とすることもできる。
さらに、本発明の第１の実施の形態の簡潔昇降装置では、昇降駆動機構３０にベルトを使用することとしたが、ワイヤなども同様に使用することができる。
【実施例２】
【００１３】  図４は、本発明の第２の実施の形態の簡潔昇降装置を示し、図４（Ａ）は、正面を開口したときの正面図を示し、図４（Ｂ）は、側面を開口したときの側面図を示す。
図４（Ａ）、（Ｂ）に示すように、本発明の第２の実施の形態の簡潔昇降装置４０は、上側ケース１４が上昇しているときを示し、上側ケース１４の下側に固定され下側ケース１３との間に設けられて上側ケース１４を上下方向に移動可能とする回転バー機構５０と、回転バー機構５０を昇降駆動する昇降駆動機構６０とで構成されている。
回転バー機構５０は、矢印Ｒに示すように、正面の奥側に設けた回転バー機構５０Ａと、矢印Ｆに示すように、正面の手前側に回転バー機構５０Ａと並行に設けられた回転バー機構５０Ｂとで構成されている。
回転バー機構５０Ａは回転バー５１ａを備え、回転バー５１ａは、下側ケース１３に水平方向に固定された中央シャフト５２に回転自在に取付けられ、回転バー機構５０Ｂも同様の回転バー５１ｂを備え、中央シャフト５２に回転自在に取付けられている。
回転バー５１ａと回転バー５１ｂの上端部は、上側ケース１４の下側に固定されたスライド機構５３ａ、５３ｂに回転自在で水平方向にスライド可能に取付けられ、回転バー５１ａと回転バー５１ｂの下端部には互いに連結するシャフト５８ａが取付けられている。
上側ケース１４の下側に固定されているスライド機構５３ａ、５３ｂは、スライド棒５４が固定され、スライド棒５４にスライダ５６がスライド自在に取り付けられ、スライダ５６には取付ブラケット５５が取付けられている。
回転バー５１ａ、５１ｂは、スライド機構５３ａ、５３ｂの取付ブラケット５５に上側シャフト５７を介し回転自在でスライド可能に取付けられている。【００１４】  昇降駆動機構６０は、上側ケース１４の内側に固定された水圧シリンダ６１と、水圧シリンダ６１のピストンロッド６１ａの先端に回転自在に取付けられた駆動ローラ６２と、下側シャフト５８ａに回転自在に取付けられた第１のガイドローラ６３と、下側ケース１３に固定されたシャフト５８ｂに回転自在に取付けられた第２のガイドローラ６４と、下側ケース１３に一端が固定され、駆動ローラ６２と、第１のガイドローラ６３と、第２のガイドローラ６４とに掛けられ、下側ケース１３に他端が固定されたベルト５９とで構成されている。
昇降駆動機構６０の水圧シリンダ６１には水道管と接続する接続部６１ｂが取付けられ、接続部６１ｂから供給される水道圧により、水圧シリンダ６１は作動し、ピストンロッド６１ａが水平方向に移動する。また、接続する水道管には水圧を調整する栓を設けることもできる。
上側ケース６２が上昇しているときを示している本発明の第１の実施の形態の簡潔昇降装置４０は、水圧シリンダ６１のピストンロッド６１ａが水平方向に伸びピストンロッド６１ａの先端に回転自在に取付けられた駆動ローラ６２によりベルト６９に張力が与えられて、ベルト６９が引っ張られ、第１のガイドローラ６３が内側に寄せられ、回転バー５１ａと回転バー５１ｂとが中央シャフト５２を中心に回動し、上側ケース１４が上側に移動している。【００１５】  以上述べたように、本発明の第２の実施の形態の簡潔昇降装置４０は、回転バー機構５０と、回転バー機構５０を昇降駆動する昇降駆動機構６０とで構成され、昇降駆動機構６０に設けた水圧シリンダ６１により上側ケース１４が昇降し、システムキッチンや洗面台などの特に水道水を使用する装置の昇降を行うときに水道水を容易に利用でき便利で有効な簡潔構造となっている。
また、昇降駆動機構６０は、上側ケース１４の内側に固定された水圧シリンダ６１と、水圧シリンダ６１のピストンロッド６１ａの先端に回転自在に取付けられた駆動ローラ６２と、下側シャフト５８ａに回転自在に取付けられた第１のガイドローラ６３と、下側ケース１３に固定されたシャフト５８ｂに回転自在に取付けられた第２のガイドローラ６４と、下側ケース１３に一端が固定され、駆動ローラ６２と、第１のガイドローラ６３と、第２のガイドローラ６４とに掛けられ、下側ケース１３に他端が固定されたベルト５９とで構成されているため、水圧シリンダ６１の駆動力が効果的に増大し上側ケース１４を昇降することができる。
なお、本発明の第２の実施の形態の簡潔昇降装置は、システムキッチンや洗面台に限らず、その他さまざまの昇降を必要とするものに使用することができる。
また、本発明の第２の実施の形態の簡潔昇降装置は、水圧シリンダを使用することとしたが、他に、油圧シリンダ、空気圧シリンダ、電動駆動スライダなども関連設備が近辺にあるときには有効に使用することもできる。
また、回転バー機構５０は、回転バー機構５０Ａと、回転バー機構５０Ａと並行に設けられた回転バー機構５０Ｂとで構成したが、単独とすることも、複数とすることもできる。
さらに、本発明の第２の実施の形態の簡潔昇降装置では、昇降駆動機構６０にベルトを使用することとしたが、ワイヤなども同様に使用することができる。
【図面の簡単な説明】
【００１６】
【図１】  本発明の第１の実施の形態の簡潔昇降装置の斜視図を示す。
【図２】  上側ケースが下降しているときの本発明の第１の実施の形態の簡潔昇降装置を示し、図２（Ａ）は、正面を開口したときの正面図を示し、図２（Ｂ）は、側面を開口したときの側面図を示す。
【図３】  上側ケースが上昇しているときの本発明の第１の実施の形態の簡潔昇降装置を示し、図３（Ａ）は、正面を開口したときの正面図を示し、図３（Ｂ）は、側面を開口したときの側面図を示す。
【図４】  本発明の第２の実施の形態の簡潔昇降装置を示し、図４（Ａ）は、正面を開口したときの正面図を示し、図４（Ｂ）は、側面を開口したときの側面図を示す。
【符号の説明】
【００１７】  １０、４０  簡潔昇降装置
１１、１３  下側ケース
１２、１４  上側ケース
２０Ａ、２０Ｂ  パンタグラフ機構
３０、６０  昇降駆動機構
２２、５２  中央シャフト
２１ａ、２１ｂ  連結バー
２３ａ、２３ｂ、２３ｃ、２３ｄ  スライド機構
２１ａ、２１ｂ  連結バー
２７ａ、２７ｂ  上側シャフト
２８ａ、２８ｂ  下側シャフト
３１、６１  水圧シリンダ
３２、６２  駆動ローラ
３３、６３  第１のガイドローラ
３４、６４  第２のガイドローラ
３９、６９  ベルト
５０  回転バー機構
５１ａ、５１ｂ  回転バー
【図１】
2010228908.tif 000003
【図２】
2010228908.tif 000004
【図３】
2010228908.tif 000005
【図４】
2010228908.tif 000006